(57)【特許請求の範囲】
【請求項１】
Ａ．  下記式を有するカチオン性界面活性剤である硬い酸カチオン性成分  ０．５〜２０重量％：
Ｒ1Ｒ2mＲ33-mＮ+Ａ-
（上記式中、Ｒ1はＣ6-24アルキルもしくはアルケニル基またはＣ6-12アルカリール基を表す；各Ｒ2は独立して（ＣnＨ2nＯ）xＲ4基を表し、ここでｎは１〜４であり、ｘは１〜１４であり、Ｒ4は水素、メチルおよびエチルからなる群より選択され、Ｒ2mにおけるＣnＨ2nＯ基の合計数は１〜１４である；各Ｒ3基は独立してＣ1-12アルキルもしくはアルケニル基、アリール基またはＣ1-6アルカリール基を表す；ｍは１、２または３である；Ａは電気的中性をもたらす対イオンである）；
Ｂ．  全洗剤組成物の１．７重量％以内の硬い塩基ポリマー成分；但し、
該ポリマー成分は、
【化１】
0003773540.tif 000039
よりも硬い塩基である側基を含んでいる；また、上記硬い酸カチオン性成分対上記硬い塩基ポリマー成分の比率は１０：１〜１：３である；および
Ｃ．  ２０重量％未満のリン酸成分；
を含んでなる洗剤組成物。
【請求項２】
硬い酸カチオン性成分が１．５重量％未満の量で存在している、請求項１に記載の洗剤組成物。
【請求項３】
２５重量％より多く硫酸ナトリウムを含まない、請求項１または２に記載の洗剤組成物。
【請求項４】
ブリーチ前駆体化合物を更に含んでいて、ブリーチ前駆体が親水性ブリーチ前駆体であるとき、組成物中におけるブリーチ前駆体の量が少くとも１．５重量％である、請求項１〜３のいずれか一項に記載の洗剤組成物。
【請求項５】
親水性ブリーチ前駆体がテトラアセチルエチレンジアミンである、請求項４に記載の洗剤組成物。
【請求項６】
８重量％未満のナトリウム直鎖Ｃ12アルキルベンゼンスルホネートを含んでいる、請求項１〜５のいずれか一項に記載の洗剤組成物。
【請求項７】
硬い塩基ポリマー成分が０．０１〜１．４重量％の量で存在している、請求項１〜６のいずれか一項に記載の洗剤組成物。
【請求項８】
Ｒ4が水素である、請求項１に記載の洗剤組成物。
【請求項９】
Ｒ2が-ＣＨ2ＣＨ2ＯＨであり、各Ｒ3が独立してＣ1-4アルキルであり、ｍが１または２であり、Ｒ1が直鎖Ｃ6-14アルキル基である、請求項８に記載の洗剤組成物。
【請求項１０】
Ｒ2が-ＣＨ2ＣＨ2ＯＨであり、各Ｒ3が独立してＣ1-4アルキルであり、ｍが１または２であり、Ｒ1が直鎖Ｃ8-10アルキル基である、請求項８に記載の洗剤組成物。
【請求項１１】
Ｒ1がＣ8-10アルキル基である、請求項８または９に記載の洗剤組成物。
【請求項１２】
硬い塩基ポリマー成分が、側鎖カルボキシル官能基を有するポリマーを含んでなる、請求項１〜１１のいずれか一項に記載の洗剤組成物。
【請求項１３】
硬い塩基ポリマー成分がアクリル、マレインまたはコハク酸／塩ポリマーを含んでなる、請求項１２に記載の洗剤組成物。
【請求項１４】
硬い酸カチオン性成分がＣ12-14Ｎ+（ＣＨ3）2（Ｃ2Ｈ4ＯＨ）、Ｃ8-10Ｎ+（ＣＨ3）2（Ｃ2Ｈ4ＯＨ）およびそれらの混合物からなる群より選択され；硬い塩基ポリマー成分が７０，０００の平均分子量を有するマレイン／アクリル酸のコポリマーである、請求項１〜１３のいずれか一項に記載の洗剤組成物。
【発明の詳細な説明】
技術分野
本発明は、洗濯および皿洗い法で使用に適した、カチオン性成分および硬い塩基ポリマー成分を含有した洗剤組成物に関する。
発明の背景
高割合のトリグリセリドまたは脂肪酸を有した汚れ／しみである脂肪汚れ／しみの満足いくような除去は、洗濯および皿洗い法向け洗剤組成物の業者に直面する難題である。界面活性剤成分は、このような脂肪汚れ／しみの除去を促進するために、洗剤製品で伝統的に用いられる。特に、カチオン性界面活性剤を含んだ界面活性剤系は脂肪汚れ／しみ除去で使用が知られている。
例えば、ＥＰ-Ｂ-２１，４９１は、ノニオン性／カチオン性界面活性剤混合物と、アルミノシリケートおよびポリカルボキシレートビルダーを含むビルダー混合物とを含有した、洗剤組成物について開示している。カチオン性界面活性剤はカチオン性エステルであってもよい。改善された粒子および脂肪／油汚れ除去性が記載されている。
ＵＳ-Ａ-４，２２８，０４２では、脂肪／油汚れ除去を行うために洗剤組成物で使用の、カチオン性エステル界面活性剤を含めた、生分解性カチオン性界面活性剤について開示している。粒状汚れ除去向けにデザインされた組成物における、これらカチオン性界面活性剤とノニオン性界面活性剤との組合せも、記載されている。
ポリマー化合物も洗剤組成物の既知成分である。それらは汚れ懸濁剤として洗剤組成物に通常配合される。
カチオン性成分およびポリマー成分の双方を配合した洗剤組成物のしみおよび脂肪汚れ除去性は、その２成分が特定比率内で用いられたときに意外にも高められることがわかった。特定比率内における成分の組合せ使用は、一方または双方の成分の全体量を減少させながら、同様のまたは改善されたクリーニング性能を達成することができる。
本記載で引用されたすべての文献は、関連箇所で、参考のため本明細書に組み込まれる。
発明の要旨
本発明の洗剤組成物は、硬い酸（hard acid）カチオン性成分および全洗剤組成物の１．７重量％以内の硬い塩基（hard base）ポリマー成分を含んでいて、硬い酸カチオン性成分対硬い塩基ポリマー成分の比率は１０：１〜１：３であって、その組成物は２０重量％未満のリン酸成分を含んでいる。
本発明の好ましい面において、硬い酸カチオン性成分対硬い塩基ポリマー成分の比率は５：１〜１：２である。比率は５：１〜１：１であってもよい。更に好ましい面において、上記硬い酸カチオン性成分には下記式のカチオン性界面活性剤がある：
Ｒ1Ｒ2mＲ33-mＮ+Ａ-
上記式中Ｒ1はＣ6-24アルキルもしくはアルケニル基またはＣ6-12アルカリール基を表す；各Ｒ2は独立して（ＣnＨ2nＯ）xＲ4基を表し、ここでｎは１〜４であり、ｘは１〜１４であり、Ｒ4は水素（好ましい）、メチルまたはエチルを表し、Ｒ2mにおけるＣnＨ2nＯ基の合計数は１〜１４である；各Ｒ3基は独立してＣ1-12アルキルもしくはアルケニル基、アリール基またはＣ1-6アルカリール基を表す；ｍは１、２または３である；Ａは電気的中性をもたらす対イオンである。
発明の具体的な説明
硬い酸カチオン性成分
本発明の洗剤組成物の必須要素はカチオン性成分である。通常、硬い酸カチオン性成分には四級アンモニウム化合物、好ましくは界面活性剤がある。カチオン性成分は、好ましくは洗剤組成物の０．５〜２０．０重量％、更に好ましくは０．１〜１０％、最も好ましくは１．０〜５．０％のレベルでまたは１．５％以下でも存在する。
いかなる四級アンモニウムカチオン性界面活性剤も用いてよいが、しかしながら、本発明の好ましい面によると、カチオン性成分には下記式の化合物から選択される界面活性剤がある：
Ｒ1Ｒ2mＲ33-mＮ+Ａ-
上記式中Ｒ1はＣ6-24アルキルもしくはアルケニル基またはＣ6-12アルカリール基を表す；各Ｒ2は独立して（ＣnＨ2nＯ）xＲ4基を表し、ここでｎは１〜４であり、ｘは１〜１４であり、Ｒ4は水素（好ましい）、メチルまたはエチルを表し、Ｒ2mにおけるＣnＨ2nＯ基の合計数は１〜１４である；各Ｒ3基は独立してＣ1-12アルキルもしくはアルケニル基、アリール基またはＣ1-6アルカリール基を表す；ｍは１、２または３である；Ａは電気的中性をもたらす対イオンである。
特に好ましい界面活性剤は、Ｒ2が-ＣＨ2ＣＨ2ＯＨであり、各Ｒ3が独立してＣ1-4アルキル、好ましくはメチルから選択され、ｍが１または２である。好ましくは、Ｒ1は直鎖Ｃ6-14アルキル基である。Ｃ8-10アルキル基が特に有用であるとわかった。Ｃ12-14アルキル基も特に有用であるとわかった。
好ましくは、カチオン性成分はモノ四級アンモニウム化合物である。
本発明のカチオン性成分界面活性剤は、好ましくは、界面活性を有する水分散性化合物である。
カチオン性成分にはカチオン性エステル界面活性剤もある。コリンエステル界面活性剤を含めた、適切なカチオン性エステル界面活性剤は、例えば米国特許第４２２８０４２号、第４２３９６６０号および第４２６０５２９号明細書に開示されている。
好ましいカチオン性エステル界面活性剤において、カチオン性エステルのエステル結合（即ち、-ＣＯＯ-）と正荷電基とは、少くとも３つの原子（即ち、３原子鎖長）、好ましくは３〜８原子、更に好ましくは３〜５原子、最も好ましくは３原子を有する鎖からなるスペーサー基により、界面活性剤分子において互いに離されている。スペーサー基鎖を形成する原子は炭素、窒素および酸素原子とそれらの混合からなる群より選択されるが、但し上記鎖におけるいかなる窒素または酸素原子も鎖中で炭素原子のみと結合している。そのため、例えば-Ｏ-Ｏ-（即ち、ペルオキシド）、-Ｎ-Ｎ-および-Ｎ-Ｏ-結合を有するスペーサー基は除外され、その一方で、例えば-ＣＨ2-Ｏ-ＣＨ2-および-ＣＨ2-ＮＨ-ＣＨ2-結合を有するスペーサー基は含まれる。好ましい面において、スペーサー基鎖は炭素原子のみを含み、最も好ましくは鎖はヒドロカルビル鎖である。
好ましいカチオン性エステル界面活性剤は下記式を有したものである：
0003773540.tif 000002
上記式中Ｒ1はＣ5-Ｃ31直鎖または分岐アルキル、アルケニルまたはアルカリール鎖あるいはＭ-Ｎ+（Ｒ6Ｒ7Ｒ8）（ＣＨ2）sである；ＸおよびＹは独立してＣＯＯ、ＯＣＯ、Ｏ、ＣＯ、ＯＣＯＯ、ＣＯＮＨ、ＮＨＣＯ、ＯＣＯＮＨおよびＮＨＣＯＯからなる群より選択され、ＸまたはＹのうち少くとも１つはＣＯＯ、ＯＣＯ、ＯＣＯＯ、ＯＣＯＮＨまたはＮＨＣＯＯ基である；Ｒ2、Ｒ3、Ｒ4、Ｒ6、Ｒ7およびＲ8は、独立して、１〜４の炭素原子を有するアルキル、アルケニル、ヒドロキシアルキルおよびヒドロキシアルケニル基と、アルカリール基からなる群より選択される；Ｒ5は独立してＨまたはＣ1-Ｃ3アルキル基である；ｍ、ｎ、ｓおよびｔの値は独立して０〜８の範囲であり、ｂの値は０〜２０の範囲であり、ａ、ｕおよびｖの値は独立して０または１であるが、但しｕまたはｖのうち少くとも１つは１でなければならない；Ｍは対アニオンである。
好ましくは、Ｍはハライド、メチル硫酸、硫酸および硝酸、更に好ましくはメチル硫酸、クロリド、ブロモまたはヨージドからなる群より選択される。
カチオン性エステル界面活性剤は下記式を有したものから選択してもよい：
0003773540.tif 000003
上記式中Ｒ1はＣ5-Ｃ31直鎖または分岐アルキル、アルケニルまたはアルカリール鎖である；ＸはＣＯＯ、ＯＣＯ、ＯＣＯＯ、ＯＣＯＮＨおよびＮＨＣＯＯからなる群より選択される；Ｒ2、Ｒ3およびＲ4は独立して１〜４の炭素原子を有するアルキルおよびヒドロキシアルキル基からなる群より選択される；Ｒ5は独立してＨまたはＣ1-Ｃ3アルキル基である；ｎの値は０〜８の範囲であり、ｂの値は０〜２０の範囲であり、ａの値は０または１であり、ｍの値は３〜８である。
更に好ましくは、Ｒ2、Ｒ3およびＲ4は独立してＣ1-Ｃ4アルキル基およびＣ1-Ｃ4ヒドロキシアルキル基から選択される。１つの好ましい面において、Ｒ2、Ｒ3およびＲ4のうち少くとも１つ、好ましくは１つだけはヒドロキシアルキル基である。ヒドロキシアルキルは、好ましくは１〜４つの炭素原子、更に好ましくは２または３つの炭素原子、最も好ましくは２つの炭素原子を有している。もう１つの好ましい面において、Ｒ2、Ｒ3およびＲ4のうち少くとも１つはＣ2-Ｃ3アルキル基であり、更に好ましくは２つのＣ2-Ｃ3アルキル基が存在している。
高度に好ましい水分散性カチオン性エステル界面活性剤は下記式を有したエステルである：
0003773540.tif 000004
上記式中ｍは１〜４、好ましくは２または３である；Ｒ1はＣ11-Ｃ19直鎖または分岐アルキル鎖である。
このタイプの特に好ましいコリンエステルには、ステアロイルコリンエステル四級メチルアンモニウムハライド（Ｒ1＝Ｃ17アルキル）、パルミトイルコリンエステル四級メチルアンモニウムハライド（Ｒ1＝Ｃ15アルキル）、ミリストイルコリンエステル四級メチルアンモニウムハライド（Ｒ1＝Ｃ13アルキル）、ラウロイルコリンエステルメチルアンモニウムハライド（Ｒ1＝Ｃ11アルキル）、ココイルコリンエステル四級メチルアンモニウムハライド（Ｒ1＝Ｃ11-Ｃ13アルキル）、タローイルコリンエステル四級メチルアンモニウムハライド（Ｒ1＝Ｃ15-Ｃ17アルキル）およびそれらの混合物がある。
他の適当なカチオン性エステル界面活性剤は下記構造式を有していて、ここでｄは１〜２０である：
0003773540.tif 000005
好ましい面において、カチオン性エステル界面活性剤は洗濯洗浄法の条件下で加水分解性である。
好ましいカチオン性界面活性剤には、下記一般式のアルコキシル化四級アンモニウム（ＡＱＡ）界面活性剤がある：
0003773540.tif 000006
上記式中Ｒ1は約８〜約１８の炭素原子、好ましくは１０〜約１６の炭素原子、最も好ましくは約１０〜約１４の炭素原子を有したアルキルまたはアルケニル部分である；Ｒ2およびＲ3は各々独立して１〜約３つの炭素原子を有したアルキル基、好ましくはメチルである；Ｒ4は水素（好ましい）、メチルおよびエチルから選択される；Ｘ-は電気的中性をもたらすアニオン、例えばクロリド、ブロミド、メチル硫酸、硫酸などである；ＡはＣ1-Ｃ4アルコキシ、特にエトキシ（即ち、-ＣＨ2ＣＨ2Ｏ-）、プロポキシ、ブトキシおよびそれらの混合から選択される；ｐは２〜約３０、好ましくは２〜約１５、最も好ましくは２〜約８である。他の好ましいカチオン性界面活性剤には下記式の界面活性剤：
0003773540.tif 000007
と、後で開示されるような１種以上の洗浄（布帛ケアを含む）補助物質があり、ＡＱＡ界面活性剤の場合に、Ｒ1は約８〜約１８の炭素原子、好ましくは１０〜約１６の炭素原子、最も好ましくは約１０〜約１４の炭素原子を有したアルキルまたはアルケニル部分であり、Ｒ2は１〜３つの炭素原子を有したアルキル基、好ましくはメチルであり、Ｒ3およびＲ4は独立して水素（好ましい）、メチルおよびエチルから選択され、Ｘ-は電気的中性をもたらす上で十分なアニオン、例えばクロリド、ブロミド、メチル硫酸、硫酸などである。ＡおよびＡ′は独立してＣ1-Ｃ4アルコキシ、特にエトキシ（即ち、-ＣＨ2ＣＨ2Ｏ-）、プロポキシ、ブトキシおよびそれらの混合から選択され、ｐは１〜約３０、好ましくは１〜約４であり、ｑは１〜約３０、好ましくは１〜約４、最も好ましくはｐおよびｑの双方が１である。
硬い塩基ポリマー成分
硬い塩基ポリマー成分は、好ましくは、硬いおよび軟らかい挙動性のPerson分類によると、下記ベンゼンスルホネート基：
0003773540.tif 000008
よりも硬い塩基である側基（即ち、ポリマー結合基ではないため、ポリマー主鎖の一部を形成していない基）を有したポリマーからなる。好ましくは、ポリマー成分は、ＣＨ3ＣＨ2ＣＨ2-ＳＯ3-のようなスルホネート基よりも硬い塩基である側基を有したポリマーからなる。ポリマー成分は、このような側基となるモノマーの通常少くとも５重量％、好ましくは少くとも２５％または更に少くとも５０％でも、更に好ましくは少くとも６０％、最も好ましくは少くとも９０％から形成される。ポリマー成分は、好ましくは１５００〜１５００００、最も好ましくは２０００〜１０００００、特に５０００〜８００００の分子量を有している。分子量測定は、標準としてスチレンを用いて、ＧＰＣにより行われる。
特に好ましい側基はカルボン酸基である（本明細書で酸基に言及したときにはそれらの塩も含む）。ポリマーポリカルボン酸物質は、適切な不飽和モノマーを、好ましくはそれらの酸形で、重合または共重合させることにより製造できる。重合させて適切なポリマーポリカルボキシレートを形成できる不飽和モノマー酸には、アクリル酸、マレイン酸（または無水マレイン酸）、フマル酸、イタコン酸、アコニチン酸、メサコン酸、シトラコン酸およびメチレンマロン酸がある。ビニルメチルエーテル、スチレン、エチレンなどのような、硬い塩基基（例えばカルボキシレート基）を有しないモノマーセグメントの、ポリマー中における存在は、適切であるが、このようなセグメントは好ましくは約４０重量％以下にすべきである。アクリル酸およびマレイン酸ホモポリマーまたはコポリマーが特に好ましい。
アクリル酸／マレイン酸ベースコポリマーには、アクリル酸およびマレイン酸のコポリマーの水溶性塩がある。このようなコポリマーの平均分子量は、酸形のとき、好ましくは約２０００〜１００，０００、更に好ましくは約５０００〜７５，０００、最も好ましくは約７０００〜６５，０００であるか、または１０，０００〜５０，０００であってもよい。このような好ましいコポリマーにおけるアクリレート対マレエートセグメントの比率は、通常約３０：１〜約１：１、更に好ましくは約１０：１〜２：１である。このようなアクリル酸／マレイン酸コポリマーの水溶性塩には、例えばアルカリ金属、アンモニウムおよび置換アンモニウム塩がある。このタイプの適切なアクリレート／マレエートコポリマーは、１９８２年１２月１５日付で公開された欧州特許出願第６６９１５号と、１９８６年９月３日付で公開されたＥＰ１９３，３６０に記載された公知物質であり、そこではヒドロキシプロピルアクリレートを含んだこのようなポリマーについても記載している。
ポリアスパルテートおよびポリグルタメート分散剤は、特にゼオライトビルダーと組合せて用いてもよい。ポリアスパルテートのような分散剤は、好ましくは約１０，０００の分子量（平均）を有する。
硬い塩基ポリマーは、洗剤組成物中に分散剤と再付着防止および汚れ懸濁剤として常用される硬い塩基基を有した有機ポリマー物質であってもよい。
有機ポリマー化合物の別な例には、ポリカルボン酸が２以下の炭素原子で互いに離された少くとも２つのカルボキシル基を有している、水溶性有機ホモまたはコポリマーポリカルボン酸、またはそれらの塩がある。後者のタイプのポリマーは、ＧＢ-Ａ-１，５９６，７５６に開示されている。このような塩の例には、ＭＷｔ１５００〜５０００のポリアクリレートがある。
ＥＰ-Ａ-３０５２８２、ＥＰ-Ａ-３０５２８３およびＥＰ-Ａ-３５１６２９に開示されたようなアスパラギン酸から誘導されるものを含めたポリアミノ化合物も、本発明で有用である。
マレイン酸、アクリル酸、ポリアスパラギン酸およびビニルアルコールから選択されるモノマーを含んだターポリマー、特に５０００〜１０，０００の平均分子量を有したものも、本発明に適している。これらにはマレイン酸／アクリル酸／ビニルアルコールターポリマーがある。このような物質は、例えばアクリル酸／マレイン酸／ビニルアルコールの４５／４５／１０ターポリマーを含めて、ＥＰ１９３，３６０に開示されている。
硬い塩基ポリマー成分は、それらが結合剤として有益である場合には、粒状成分の一部として存在していることが好ましい。
本発明の洗剤組成物は、好ましくは２５％より多く硫酸ナトリウムを含まない。
追加洗剤成分
本発明の洗剤組成物は、追加洗剤成分も含有していてよい。これら追加成分の正確な性質とその配合レベルは、組成物の物理的形態と、それが用いられる洗浄操作の正確な性質とに依存する。
本発明の組成物は、好ましくは、追加界面活性剤、追加ブリーチ、ブリーチ触媒、アルカリ系、ビルダー、有機ポリマー化合物、追加酵素、起泡抑制剤、ライムソープ分散剤、汚れ懸濁および再付着防止剤および腐食抑制剤から選択される１種以上の追加洗剤成分を含有している。
ペルオキシ酸漂白系
本発明による洗剤組成物の好ましい特徴は有機漂白系である。好ましくは、漂白系は過酸化水素源と有機ペルオキシ酸ブリーチ前駆体化合物からなる。有機ペルオキシ酸の生成は、前駆体と過酸化水素源とのその場での反応により生じる。好ましい過酸化水素源には、無機ペルヒドレートブリーチがある。別の好ましい態様において、有機ペルオキシ酸漂白系には、組成物中に直接配合された前形成有機ペルオキシ酸を含む。過酸化水素源および有機ペルオキシ酸前駆体を前形成有機ペルオキシ酸と組合せた混合物を含有する組成物も考えられる。
無機ペルヒドレートブリーチ
無機ペルヒドレート塩が好ましい過酸化水素源である。これらの塩は、通常アルカリ金属、好ましくはナトリウム塩の形で、組成物の１〜４０重量％、更に好ましくは２〜３０重量％、最も好ましくは５〜２５重量％のレベルで配合される。
無機ペルヒドレート塩の例には、ペルボレート、ペルカーボネート、ペルホスフェート、ペルサルフェートおよびペルシリケート塩がある。無機ペルヒドレート塩は通常アルカリ金属無機塩である。無機ペルヒドレート塩は、追加保護なしに結晶固体物として含有させてもよい。しかしながら、あるペルヒドレート塩のとき、このような顆粒組成物の好ましい態様では、顆粒品としてペルヒドレート塩の貯蔵安定性を良くする、コートされた形態の物質を利用する。適切なコーティングには、無機塩、例えばアルカリ金属シリケート、カーボネートもしくはボレート塩またはそれらの混合物、または有機物質、例えばワックス、オイルまたは脂肪石鹸がある。
ナトリウムペルボレートが好ましいペルヒドレート塩であって、式ＮａＢＯ2Ｈ2Ｏ2のモノヒドレートまたはテトラヒドレートＮａＢＯ2Ｈ2Ｏ2・３Ｈ2Ｏの形をとることができる。
アルカリ金属ペルカーボネート、特にナトリウムペルカーボネートが、本発明で好ましいペルヒドレートである。ナトリウムペルカーボネートは
２Ｎａ2ＣＯ3・３Ｈ2Ｏ2に相当する式を有した付加化合物であり、結晶固体物として市販されている。
カリウムペルオキシモノペルサルフェートは、本洗剤組成物で有用なもう１つの無機ペルヒドレート塩である。
ペルオキシ酸ブリーチ前駆体
ペルオキシ酸ブリーチ前駆体とは、ペルヒドロライシス（perhydrolysis）反応で過酸化水素と反応してペルオキシ酸を生じる化合物のことである。通常、ペルオキシ酸ブリーチ前駆体は下記のように表される：
0003773540.tif 000009
上記式中Ｌは脱離基であり、Ｘは本質的にいかなる官能基であってもよく、ペルヒドロライシスで生じるペルオキシ酸の構造は以下である：
0003773540.tif 000010
ペルオキシ酸ブリーチ前駆体化合物は、好ましくは洗剤組成物の０．０５〜２０重量％、更に好ましくは０．１〜１５重量％、最も好ましくは０．２〜１０重量％のレベルで配合される。
適切なペルオキシ酸ブリーチ前駆体化合物は、１以上のＮ-またはＯ-アシル基を典型的に有しており、その前駆体は広範囲のクラスから選択することができる。適切なクラスには、無水物、エステル、イミド、ラクタムと、イミダゾールおよびオキシムのアシル化誘導体がある。これらのクラスに属する有用な物質の例は、ＧＢ-Ａ-１５８６７８９に開示されている。適切なエステルはＧＢ-Ａ-８３６９８８、８６４７９８、１１４７８７１、２１４３２３１およびＥＰ-Ａ-０１７０３８６に開示されている。
脱離基
脱離基、以下Ｌ基は、ペルヒドロライシス反応が最適の時間枠内（例えば、洗浄サイクル）で生じるほど十分に反応性でなければならない。しかしながら、Ｌが反応性すぎると、このアクチベーターは漂白組成物で使用上安定化させることが困難になる。
好ましいＬ基は下記とそれらの混合物からなる群より選択される：
0003773540.tif 000011
上記式中Ｒ1は１〜１４の炭素原子を有するアルキル、アリールまたはアルカリール基であり、Ｒ3は１〜８の炭素原子を有するアルキル鎖であり、Ｒ4はＨまたはＲ3であり、ＹはＨまたは溶解基である。Ｒ1、Ｒ3およびＲ4はいずれも、例えばアルキル、ヒドロキシ、アルコキシ、ハロゲン、アミン、ニトロシル、アミドとアンモニウムまたはアルキルアンモニウム基を含めた、本質的にいかなる官能基で置換されていてもよい。
好ましい溶解基は-ＳＯ3-Ｍ+、-ＣＯ2-Ｍ+、-ＳＯ4-Ｍ+、-Ｎ+（Ｒ3）4Ｘ-およびＯ←Ｎ（Ｒ3）3、最も好ましくは-ＳＯ3-Ｍ+および-ＣＯ2-Ｍ+であり、ここでＲ3は１〜４の炭素原子を有するアルキル鎖であり、Ｍはブリーチアクチベーターに溶解性を付与するカチオンであり、Ｘはブリーチアクチベーターに溶解性を付与するアニオンである。好ましくは、Ｍはアルカリ金属、アンモニウムまたは置換アンモニウムカチオンであり、ナトリウムおよびカリウムが最も好ましく、Ｘはハライド、ヒドロキシド、メチル硫酸または酢酸アニオンである。
アルキル過カルボン酸ブリーチ前駆体
アルキル過カルボン酸ブリーチ前駆体は、ペルヒドロライシスで過カルボン酸を形成する。このタイプの好ましい前駆体は、ペルヒドロライシスで過酢酸を供する。
イミドタイプの好ましいアルキル過カルボン酸前駆体化合物には、アルキレン基が１〜６の炭素原子を有したＮ，Ｎ，Ｎ′，Ｎ′-テトラアセチル化アルキレンジアミン、特にアルキレン基が１、２および６つの炭素原子を有した化合物がある。テトラアセチルエチレンジアミン（ＴＡＥＤ）が特に好ましい。
他の好ましいアルキル過カルボン酸前駆体には、３，５，５-トリメチルヘキサノイルオキシベンゼンスルホン酸ナトリウム（イソＮＯＢＳ）、イナノイルオキシベンゼンスルホン酸ナトリウム（ＮＯＢＳ）、アセトキシベンゼンスルホン酸ナトリウム（ＡＢＳ）およびペンタアセチルグルコースがある。ブリーチ前駆体が親水性であるとき、更に具体的にはそれがＴＡＥＤを含むとき、好ましくはそれは全洗剤組成物の少くとも１．５重量％または少くとも３．５％でも、最も好ましくは少くとも５重量％またはそれ以上の量で存在する。
アミド置換アルキルペルオキシ酸前駆体
好ましいペルオキシ酸前駆体は、下記一般式のものを含めたアミド置換アルキルペルオキシ酸前駆体化合物である：
0003773540.tif 000012
上記式中Ｒ1は約１〜約１４の炭素原子を有するアリールまたはアルカリール基であり、Ｒ2は約１〜１４の炭素原子を有するアルキレン、アリレンおよびアルカリレン基であり、Ｒ5はＨあるいは１〜１０の炭素原子を有するアルキル、アリールまたはアルカリール基であり、Ｌは本質的にいかなる脱離基であってもよい。Ｒ1は約６〜１２の炭素原子を有していることが好ましい。Ｒ2は約４〜８の炭素原子を有していることが好ましい。Ｒ1は分岐、置換または双方を含んだ直鎖または分岐アルキル、置換アリールまたはアルキルアリールでもよく、合成源または例えば獣脂を含めた天然源のいずれに由来してもよい。類似した構造的バリエーションもＲ2について許容される。Ｒ2はアルキル、アリールを含んでいてもよく、上記Ｒ2はハロゲン、窒素、イオウおよび他の典型的な置換基または有機化合物も含んでよい。Ｒ5はＨまたはメチルであることが好ましい。Ｒ1およびＲ5は全部で１９以上の炭素原子を有しているべきでない。このタイプのアミド置換ブリーチアクチベーター化合物はＥＰ-Ａ-０１７０３８６に記載されている。
このタイプのブリーチ前駆体の好ましい例には、ＥＰ-Ａ-０１７０３８６に記載されたような、（６-オクタンアミドカプロイル）オキシベンゼンスルホネート、（６-デカンアミドカプロイル）オキシベンゼンスルホネートおよび高度に好ましい（６-ノナンアミドカプロイル）オキシベンゼンスルホネートとそれらの混合物から選択されるアミド置換ペルオキシ酸前駆体化合物がある。
過安息香酸前駆体
過安息香酸前駆体化合物は、ペルヒドロライシスで過安息香酸を供給する。適切なＯ-アシル化過安息香酸前駆体化合物には、置換および非置換ベンゾイルオキシベンゼンスルホネートと、ベンゾイル化剤によるソルビトール、グルコースおよびすべての糖類のベンゾイル化産物と、Ｎ-ベンゾイルサクシンイミド、テトラベンゾイルエチレンジアミンおよびＮ-ベンゾイル置換尿素を含めたイミドタイプのものがある。適切なイミダゾールタイプ過安息香酸前駆体には、Ｎ-ベンゾイルイミダゾールおよびＮ-ベンゾイルベンゾイミダゾールがある。他の有用なＮ-アシル基保有過安息香酸前駆体には、Ｎ-ベンゾイルピロリドン、ジベンゾイルタウリンおよびベンゾイルピログルタミン酸がある。
カチオン性ペルオキシ酸前駆体
カチオン性ペルオキシ酸前駆体化合物は、ペルヒドロライシスでカチオン性ペルオキシ酸を発生する。
典型的には、カチオン性ペルオキシ酸前駆体は、アンモニウムまたはアルキルアンモニウム基、好ましくはエチルまたはメチルアンモニウム基のような正荷電官能基で適切なペルオキシ酸前駆体化合物のペルオキシ酸部分を置換することにより形成される。カチオン性ペルオキシ酸前駆体は、ハライドイオンのような適切なアニオンとの塩として、固形洗剤組成物中に典型的に存在している。
こうしてカチオン置換されるペルオキシ酸前駆体化合物は、過安息香酸でもまたはその置換誘導体、即ち前記のような前駆体化合物であってもよい。一方、ペルオキシ酸前駆体化合物は、後記のようなアルキル過カルボン酸前駆体化合物でも、またはアミド置換アルキルペルオキシ酸前駆体でもよい。
カチオン性ペルオキシ酸前駆体は、米国特許第４，９０４，４０６号、第４，７５１，０１５号、第４，９８８，４５１号、第４，３９７，７５７号、第５，２６９，９６２号、第５，１２７，８５２号、第５，０９３，０２２号、第５，１０６，５２８号、ＵＫ第１，３８２，５９４号、ＥＰ第４７５，５１２号、第４５８，３９６号および第２８４，２９２号とＪＰ第８７-３１８，３３２号明細書に記載されている。
好ましいカチオン性ペルオキシ酸前駆体の例は、特許出願第９４０７９４４．９号および米国特許出願第０８／２９８９０３号、第０８／２９８６５０号、第０８／２９８９０４号および第０８／２９８９０６号明細書に記載されている。
適切なカチオン性ペルオキシ酸前駆体には、アンモニウムまたはアルキルアンモニウム置換アルキルまたはベンゾイルオキシベンゼンスルホネート、Ｎ-アシル化カプロラクタム類、およびモノベンゾイルテトラアセチルグルコースベンゾイルペルオキシドがある。Ｎ-アシル化カプロラクタムクラスの好ましいカチオン性ペルオキシ酸前駆体には、トリアルキルアンモニウムメチレンベンゾイルカプロラクタム類とトリアルキルアンモニウムメチレンアルキルカプロラクタム類がある。
ベンゾオキサジン有機ペルオキシ酸前駆体
例えばＥＰ-Ａ-３３２，２９４およびＥＰ-Ａ-４８２，８０７に開示されたようなベンゾオキサジンタイプの前駆体化合物、特に下記式を有するものも適切である：
0003773540.tif 000013
上記式中Ｒ1はアルキル、アルカリール、アリールまたはアリールアルキルである。
Ｎ-アシル化ラクタム前駆体
疏水性ブリーチアクチベーターの更にもう１つのクラスは、ＧＢ-Ａ-９５５７３５で一般的に開示されたラクタムクラスのＮ-アシル化前駆体化合物である。このクラスの好ましい物質にはカプロラクタム類がある。
適切なカプロラクタムブリーチ前駆体は下記式である：
0003773540.tif 000014
上記式中Ｒ1は６〜１２の炭素原子を有したアルキル、アリール、アルコキシアリールまたはアルカリール基である。好ましい疎水性Ｎ-アシルカプロラクタムブリーチ前駆体物質は、ベンゾイルカプロラクタム、オクタノイルカプロラクタム、ノナノイルカプロラクタム、デカノイルカプロラクタム、ウンデセノイルカプロラクタム、３，５，５-トリメチルヘキサノイルカプロラクタムおよびそれらの混合物から選択される。最も好ましいのはノナノイルカプロラクタムである。
適切なバレロラクタム類は下記式を有している：
0003773540.tif 000015
上記式中Ｒ1は６〜１２の炭素原子を有したアルキル、アリール、アルコキシアリールまたはアルカリール基である。更に好ましくは、Ｒ1はフェニル、ヘプチル、オクチル、ノニル、２，４，４-トリメチルペンチル、デセニルおよびそれらの混合から選択される。
前記のようなペルオキシ酸ブリーチ前駆体の混合物も用いてよい。
前形成有機ペルオキシ酸
有機ペルオキシ酸漂白系は、有機ペルオキシ酸ブリーチ前駆体混合物に加えて、またはその代わりに、典型的には組成物の０．０５〜２０重量％、更に好ましくは１〜１０重量％のレベルで前形成疎水性有機ペルオキシ酸を含有していてもよい。
好ましいクラスの疎水性有機ペルオキシ酸化合物は、下記一般式のアミド置換化合物である：
0003773540.tif 000016
上記式中Ｒ1は約１〜約１４の炭素原子を有したアリールまたはアルカリール基であり、Ｒ2は約１〜１４の炭素原子を有したアルキレン、アリレンおよびアルカリレン基であり、Ｒ5はＨあるいは１〜１０の炭素原子を有したアルキル、アリールまたはアルカリール基である。Ｒ1は好ましくは約６〜１２の炭素原子を有している。Ｒ2は好ましくは約４〜８の炭素原子を有している。Ｒ1は分岐、置換または双方を含んだ直鎖または分岐アルキル、置換アリールまたはアルキルアリールでもよく、合成源または例えば獣脂を含めた天然源のいずれに由来してもよい。類似した構造的バリエーションもＲ2について許容される。Ｒ2はアルキル、アリールを含むことができ、上記Ｒ2はハロゲン、窒素、イオウおよび他の典型的置換または有機化合物も含んでいてよい。Ｒ5はＨまたはメチルであることが好ましい。Ｒ1およびＲ5は全部で１９以上の炭素原子を有しているべきでない。このタイプのアミド置換ブリーチアクチベーター化合物はＥＰ-Ａ-０１７０３８６に記載されている。このクラスの物質の適切な例には、（６-オクチルアミノ）-６-オキソカプロン酸、（６-ノニルアミノ）-６-オキソカプロン酸、（６-デシルアミノ）-６-オキソカプロン酸、モノペルオキシフタル酸マグネシウム六水和物、ｍ-クロロ過安息香酸のマグネシウム塩、４-ノニルアミノ-４-オキソペルオキシ酪酸およびジペルオキシドデカン二酸がある。このような漂白剤は、Ｕ．Ｓ．４，４８３，７８１、Ｕ．Ｓ．４，６３４，５５１、ＥＰ０，１３３，３５４、Ｕ．Ｓ．４，４１２，９３４およびＥＰ０，１７０，３８６に開示されている。本発明の目的にとり好ましい疎水性前形成ペルオキシ酸ブリーチ化合物は、モノノニルアミドペルオキシカルボン酸である。
他の適切な有機ペルオキシ酸には、ジペルオキシアルカン二酸、例えばジペルオキシドデカン二酸、ジペルオキシテトラデカン二酸およびジペルオキシヘキサデカン二酸がある。
他の適切な有機ペルオキシ酸には、ＷＯ９５／０３２７５に開示された、下記一般式を有するジアミノペルオキシ酸がある：
0003773540.tif 000017
上記式中ＲはＣ1-Ｃ12アルキレン、Ｃ5-Ｃ12シクロアルキレン、Ｃ6-Ｃ12アリレンおよびそれらの組合せからなる群より選択される；Ｒ1およびＲ2は独立してＨ、Ｃ1-Ｃ16アルキル、Ｃ6-Ｃ12アリール基、およびＲ3と双方の窒素と一緒になってＣ3-Ｃ12環を形成しうる基からなる群より選択される；Ｒ3はＣ1-Ｃ12アルキレン、Ｃ5-Ｃ12シクロアルキレンおよびＣ6-Ｃ12アリレン基からなる群より選択される；ｎおよびｎ′は各々、その合計が１であるように選択される整数である；ｍおよびｍ′は各々、その合計が１であるように選択される整数である；ＭはＨ、アルカリ金属、アルカリ土類金属、アンモニウム、アルカノールアンモニウムカチオンおよび基とそれらの組合せからなる群より選択される。
他の適切な有機ペルオキシ酸には、ＷＯ９５／１６６７３に開示された、下記一般構造を有するアミドペルオキシ酸がある：
Ｘ-Ａｒ-ＣＯ-ＮＹ-Ｒ（Ｚ）-ＣＯ-ＯＯＨ
上記式中Ｘは水素または適合性置換基を表し、Ａｒはアリール基であり、Ｒは（ＣＨ2）n（ｎ＝２または３）を表し、ＹおよびＺは各々独立して水素、アルキル、アリール、アルカリール基または適合性置換基で置換されたアリール基から選択される置換基を表すが、但しｎ＝３であるならば、ＹおよびＺのうち少くとも１つは水素ではない。ベンゼン核上の置換基Ｘは、好ましくは、水素、あるいはハロゲン、典型的には塩素原子、または例えば好都合にはＣ６以内のアルキル基のようなある他の非放出性非障害種、例えばメチル、エチルまたはプロピル基からなる群より選択されるメタまたはパラ置換基である。一方、Ｘは下記式の第二アミド過カルボン酸置換基を表すことがある：
-ＣＯ-ＮＹ-Ｒ（Ｚ）-ＣＯ-ＯＯＨ
上記式中Ｒ、Ｙ、Ｚおよびｎは前記のとおりである。
ＭＯＯＣ-Ｒ1ＣＯ-ＮＲ2-Ｒ3-ＮＲ4-ＣＯ-Ｒ5ＣＯＯＯＭ
上記式中Ｒ1はＣ1-Ｃ12アルキレン、Ｃ5-Ｃ12シクロアルキレン、Ｃ6-Ｃ12アリレンおよびそれらの組合せからなる群より選択される。
追加界面活性剤
本発明の洗剤組成物は、好ましくはアニオン性、ノニオン性、両性（ampholytic，amphoteric）および双極性界面活性剤とそれらの混合物から選択される追加界面活性剤を含有していることが好ましい。
アニオン性、ノニオン性、両性および双極性クラスとこれら界面活性剤の種類の典型的リストは、１９７５年１２月３０日付で発行されたLaughlinおよびHeuringの米国特許第３，９２９，６７８号明細書に示されている。"Surface Active Agents and Detergents"（Vol.IおよびII by Schwartz,Perry and Berch）にも更に例示されている。
存在する場合、両性および双極性界面活性剤は１種以上のアニオン性および／またはノニオン性界面活性剤と組合せて通常用いられる。
アニオン性界面活性剤
本発明の洗剤組成物は、好ましくは追加アニオン性界面活性剤を含む。洗浄目的に有用な本質的にいかなるアニオン性界面活性剤も洗剤組成物中に含有させてよい。これらには、アニオン性サルフェート、スルホネート、カルボキシレートおよびサルコシネート界面活性剤の塩（例えばナトリウム、カリウム、アンモニウムおよび置換アンモニウム塩、例えばモノ、ジおよびトリエタノールアミン塩を含む）がある。アニオン性サルフェート界面活性剤が好ましい。
他のアニオン性界面活性剤には、アシルイセチオネートのようなイセチオネート、Ｎ-アシルタウレート、メチルタウリドの脂肪酸アミド、アルキルサクシネートおよびスルホサクシネート、スルホサクシネートのモノエステル（特に飽和および不飽和Ｃ12-Ｃ18モノエステル）、スルホサクシネートのジエステル（特に飽和および不飽和Ｃ6-Ｃ14ジエステル）、Ｎ-アシルサルコシネートがある。ロジン、水素付加ロジンと、獣脂油中に存在するかまたはそれから誘導される樹脂酸および水素付加樹脂酸のような、樹脂酸および水素付加樹脂酸も適切である。
アニオン性サルフェート界面活性剤
本発明で使用に適したアニオン性サルフェート界面活性剤には、直鎖および分岐一級および二級アルキルサルフェート、アルキルエトキシサルフェート、脂肪オレオイルグリセロールサルフェート、アルキルフェノールエチレンオキシドエーテルサルフェート、Ｃ5-Ｃ17アシル-Ｎ-（Ｃ1-Ｃ4アルキル）および-Ｎ-（Ｃ1-Ｃ2ヒドロキシアルキル）グルカミンサルフェートと、アルキル多糖のサルフェート、例えばアルキルポリグリコシドのサルフェートがある（ノニオン性非サルフェート化合物も本明細書に記載されている）。
アルキルサルフェート界面活性剤は、好ましくは直鎖および分岐一級Ｃ10-Ｃ18アルキルサルフェート、更に好ましくはＣ11-Ｃ15分岐鎖アルキルサルフェートおよびＣ12-Ｃ14直鎖アルキルサルフェートから選択される。
アルキルエトキシサルフェート界面活性剤は、分子当たり０．５〜２０モルのエチレンオキシドでエトキシル化されたＣ10-Ｃ18アルキルサルフェートからなる群より選択されることが好ましい。更に好ましくは、アルキルエトキシサルフェート界面活性剤は、分子当たり０．５〜７、好ましくは１〜５モルのエチレンオキシドでエトキシル化されたＣ11-Ｃ18、最も好ましくはＣ11-Ｃ15アルキルサルフェートである。
本発明の特に好ましい面では、好ましいアルキルサルフェートおよびアルキルエトキシサルフェート界面活性剤の混合物を用いる。このような混合物は、ＰＣＴ特許出願第ＷＯ９３／１８１２４に開示されている。Ｃ12アルキルベンゼンスルホネートが本発明の洗剤組成物中に配合されるとき、それは組成物の８重量％以下の量で存在する。
アニオン性スルホネート界面活性剤
本発明で使用に適したアニオン性スルホネート界面活性剤には、Ｃ5-Ｃ20直鎖アルキルベンゼンスルホネート、アルキルエステルスルホネート、Ｃ6-Ｃ22一級または二級アルカンスルホネート、Ｃ6-Ｃ24オレフィンスルホネート、スルホン化ポリカルボン酸、アルキルグリセロールスルホネート、脂肪アシルグリセロールスルホネート、脂肪オレイルグリセロールスルホネートの塩およびそれらの混合物がある。Ｃ12アルキルベンゼンスルホネートが本発明の洗剤組成物中に配合されるとき、それは組成物の８重量％以下の量で存在する。
アニオン性カルボキシレート界面活性剤
適切なアニオン性カルボキシレート界面活性剤には、アルキルエトキシカルボキシレート、アルキルポリエトキシポリカルボキシレート界面活性剤および石鹸（‘アルキルカルボキシル’）、特に本明細書に記載されているようなある二級石鹸がある。
適切なアルキルエトキシカルボキシレートには、式ＲＯ（ＣＨ2ＣＨ2Ｏ）ｘＣＨ2ＣＯＯ-Ｍ+を有するものがあり、ここでＲはＣ6-Ｃ18アルキル基であり、ｘは０〜１０であり、エトキシレート分布は、重量ベースで、ｘが０である物質の量が約２０％以下であるような程度であり、Ｍはカチオンである。適切なアルキルポリエトキシポリカルボキシレート界面活性剤には、式
ＲＯ-（ＣＨＲ1-ＣＨＲ2-Ｏ）-Ｒ3を有するものがあり、ここでＲはＣ6-Ｃ18アルキル基であり、ｘは１〜２５であり、Ｒ1およびＲ2は水素、メチル酸基、コハク酸基、ヒドロキシコハク酸基およびそれらの混合からなる群より選択され、Ｒ3は水素、１〜８つの炭素原子を有する置換または非置換炭化水素、およびそれらの混合からなる群より選択される。
適切な石鹸界面活性剤には、二級炭素に結合されたカルボキシル単位を有した二級石鹸界面活性剤がある。本発明で使用上好ましい二級石鹸界面活性剤は、２-メチル-１-ウンデカン酸、２-エチル-１-デカン酸、２-プロピル-１-ノナン酸、２-ブチル-１-オクタン酸および２-ペンチル-１-ヘプタン酸の水溶性塩からなる群より選択される水溶性メンバーである。ある石鹸も起泡抑制剤として含有させてよい。
アルカリ金属サルコシネート界面活性剤
他の適切なアニオン性界面活性剤は、式Ｒ-ＣＯＮ（Ｒ1）ＣＨ2ＣＯＯＭのアルカリ金属サルコシネートであり、ここでＲはＣ5-Ｃ17直鎖または分岐鎖アルキルまたはアルケニル基であり、Ｒ1はＣ1-Ｃ4アルキル基であり、Ｍはアルカリ金属イオンである。好ましい例は、ナトリウム塩の形をしたミリスチルおよびオレオイルメチルサルコシネートである。
アルコキシル化ノニオン性界面活性剤
本質的にいかなるアルコキシル化ノニオン性界面活性剤も本発明に適している。エトキシル化およびプロポキシル化ノニオン性界面活性剤が好ましい。
好ましいアルコキシル化界面活性剤は、アルキルフェノールのノニオン性縮合物、ノニオン性エトキシル化アルコール、ノニオン性エトキシル化／プロポキシル化脂肪アルコール、プロピレングリコールとのノニオン性エトキシレート／プロポキシレート縮合物、およびプロピレンオキシド／エチレンジアミン付加物とのノニオン性エトキシレート縮合産物のクラスから選択することができる。
ノニオン性アルコキシル化アルコール界面活性剤
脂肪族アルコールと１〜２５モルのアルキレンオキシド、特にエチレンオキシドおよび／またはプロピレンオキシドとの縮合産物が、本発明で使用に適している。脂肪族アルコールのアルキル鎖は直鎖または分岐鎖でも、一級または二級でもよく、通常６〜２２の炭素原子を有する。炭素原子８〜２０のアルキル基を有するアルコールと、アルコール１モル当たりエチレンオキシド２〜１０モルとの縮合産物が、特に好ましい。
ノニオン性ポリヒドロキシ脂肪酸アミド界面活性剤
本発明で使用に適したポリヒドロキシ脂肪酸アミドは、構造式Ｒ2ＣＯＮＲ1Ｚを有するものである：Ｒ1はＨ、Ｃ1-Ｃ4ヒドロカルビル、２-ヒドロキシエチル、２-ヒドロキシプロピル、エトキシ、プロポキシまたはそれらの混合、好ましくはＣ1-Ｃ4アルキル、更に好ましくはＣ1またはＣ2アルキル、最も好ましくはＣ1アルキル（即ち、メチル）である；Ｒ2はＣ5-Ｃ31ヒドロカルビル、好ましくは直鎖Ｃ5-Ｃ19アルキルまたはアルケニル、更に好ましくは直鎖Ｃ9-Ｃ17アルキルまたはアルケニル、最も好ましくは直鎖Ｃ11-Ｃ1７アルキルまたはアルケニル、あるいはそれらの混合である；Ｚは直鎖ヒドロカルビル鎖とその鎖に直接結合された少くとも３つのヒドロキシルを有したポリヒドロキシヒドロカルビル、またはそのアルコキシル化誘導体（好ましくは、エトキシル化またはプロポキシル化）である。Ｚは好ましくは還元アミノ化反応で還元糖から誘導され、更に好ましくはＺはグリシチルである。
ノニオン性脂肪酸アミド界面活性剤
適切な脂肪酸アミド界面活性剤には、式Ｒ6ＣＯＮ（Ｒ7）2を有するものがあり、ここでＲ6は７〜２１、好ましくは９〜１７の炭素原子を有するアルキル基であり、各Ｒ7は水素、Ｃ1-Ｃ4アルキル、Ｃ1-Ｃ4ヒドロキシアルキルおよび-（Ｃ2Ｈ4Ｏ）xＨ（ｘは１〜３の範囲である）からなる群より選択される。
ノニオン性アルキル多糖界面活性剤
６〜３０の炭素原子を有する疎水基と、１．３〜１０の糖単位を有する多糖、例えばポリグリコシド親水基とをもった、本発明で使用に適したアルキル多糖は、１９８６年１月２１日付で発行されたLlenadoの米国特許第４，５６５，６４７号明細書に開示されている。
好ましいアルキルポリグリコシドは下記式を有している：
Ｒ2Ｏ（ＣnＨ2nＯ）t（グリコシル）x
上記式中Ｒ2はアルキル、アルキルフェニル、ヒドロキシアルキル、ヒドロキシアルキルフェニルおよびそれらの混合からなる群より選択され、アルキル基は１０〜１８の炭素原子を有している；ｎは２または３である；ｔは０〜１０である；ｘは１．３〜８である。グリコシルは、好ましくはグルコースから誘導される。
両性界面活性剤
本発明で使用に適した両性界面活性剤には、アミンオキシド界面活性剤とアルキルアンホカルボン酸がある。
適切なアミンオキシドには、式Ｒ3（ＯＲ4）xＮＯ（Ｒ5）2を有する化合物があり、ここでＲ3は８〜２６の炭素原子を有するアルキル、ヒドロキシアルキル、アシルアミドプロピルおよびアルキルフェニル基またはそれらの混合から選択され、Ｒ4は２〜３の炭素原子を有するアルキレンまたはヒドロキシアルキレン基またはそれらの混合であり、ｘは０〜５、好ましくは０〜３であり、各Ｒ5は１〜３の炭素原子を有するアルキルもしくはヒドロキシアルキル基、または１〜３のエチレンオキシド基を有するポリエチレンオキシド基である。Ｃ10-Ｃ18アルキルジメチルアミンオキシドおよびＣ10-Ｃ18アシルアミドアルキルジメチルアミンオキシドが好ましい。
アルキルアンホジカルボン酸の適切な例は、Miranol,Inc.,Dayton,NJ.製造のMiranol(TM) C2M Conc.である。
双極性界面活性剤
双極性界面活性剤も本洗剤組成物中に配合できる。これらの界面活性剤は、二級および三級アミンの誘導体、ヘテロ環式二級および三級アミンの誘導体、あるいは四級アンモニウム、四級ホスホニウムまたは三級スルホニウム化合物の誘導体として広く記載することができる。ベタインおよびスルタイン界面活性剤が、本発明で使用上例示される双極性界面活性剤である。
適切なベタインは式Ｒ（Ｒ1）2Ｎ+Ｒ2ＣＯＯ-を有する化合物であり、ここでＲはＣ6-Ｃ18ヒドロカルビル基であり、各Ｒ1は典型的にはＣ1-Ｃ3アルキルであり、Ｒ2はＣ1-Ｃ5ヒドロカルビル基である。適切なベタインは、Ｃ12-18ジメチルアンモニオヘキサノエートおよびＣ10-18アシルアミドプロパン（またはエタン）ジメチル（またはジエチル）ベタインである。複合ベタイン界面活性剤も本発明で使用に適している。
アルカリ
本発明の洗剤組成物において、好ましくは、アルカリ系は最良のカチオン性エステル界面活性剤性能を発揮させるために存在する。アルカリ系には溶液中でアルカリ種を供しうる成分を含む。アルカリ種とは、本発明では、カーボネート、ビカーボネート、ヒドロキシド、様々なシリケートアニオン、ペルカーボネート、ペルボレート、ペルホスフェート、ペルサルフェートおよびペルシリケートを意味する。
このようなアルカリ種は、例えばアルカリ金属、アルカリ土類カーボネート、ビカーボネート、ヒドロキシド、または結晶積層シリケートを含めたシリケート塩と、ペルカーボネート、ペルボレート、ペルホスフェート、ペルサルフェートおよびペルシリケート塩と、それらの混合物から選択されるアルカリ塩が水に溶解されたときに形成される。
カーボネートの例は、ナトリウムカーボネートおよびセスキカーボネートを含めたアルカリ土類およびアルカリ金属カーボネート、および１９７３年１１月１５日付で公開されたドイツ特許出願第２，３２１，００１号明細書に開示されたようなそれらと超微細カルシウムカーボネートとの混合物である。
適切なシリケートには、１．０：２．８のＳｉＯ2：Ｎａ2Ｏ比を有する水溶性ナトリウムシリケートがあり、１．６：２．０の比率が好ましく、２．０比が最も好ましい。シリケートは無水塩または水和塩の形をとる。ＳｉＯ2：Ｎａ2Ｏ比２．０のナトリウムシリケートが最も好ましいシリケートである。
本発明で使用上好ましい結晶積層シリケートは下記一般式を有している：
ＮａＭＳｉxＯ2x+1・yＨ2Ｏ
上記式中Ｍはナトリウムまたは水素であり、ｘは１．９〜４の数であり、ｙは０〜２０の数である。このタイプの結晶積層ナトリウムシリケートはＥＰ-Ａ-０１６４５１４に開示されており、それらの製造方法はドイツＤＥ-Ａ-３４１７６４９およびＤＥ-Ａ-３７４２０４３に開示されている。上記一般式中におけるｘは２、３または４の値を有し、好ましくは２である。最も好ましい物質は、Hoechst ＡＧからＮａＳＫＳ-６として市販されている、δ-Ｎａ2Ｓｉ2Ｏ5である。
水溶性ビルダー化合物
本発明の洗剤組成物は好ましくは水溶性ビルダー化合物を含有しており、典型的には組成物の１〜８０重量％、好ましくは１０〜７０重量％、最も好ましくは２０〜６０重量％のレベルで存在する。
適切な水溶性ビルダー化合物には、水溶性モノマーポリカルボキシレートまたはそれらの酸塩、ホモまたはコポリマーポリカルボン酸またはそれらの塩（ポリカルボン酸は２以下の炭素原子で互いに離された少くとも２つのカルボン酸基を有している）、ボレート、ホスフェートと、上記の混合物がある。
カルボキシレートまたはポリカルボキシレートビルダーはタイプ上モノマーまたはオリゴマーであるが、モノマーポリカルボキシレートがコストおよび性能の理由から通常好ましい。
１つのカルボキシ基を有する適切なカルボキシレートには、乳酸、グリコール酸およびそれらのエーテル誘導体の水溶性塩がある。２つのカルボキシ基を有するポリカルボキシレートには、コハク酸、マロン酸、（エチレンジオキシ）二酢酸、マレイン酸、ジグリコール酸、酒石酸、タルトロン酸およびフマル酸の水溶性塩と、エーテルカルボキシレートおよびスルフィニルカルボキシレートがある。３つのカルボキシ基を有するポリカルボキシレートには、特に水溶性シトレート、アコニトレートおよびシトラコネートとサクシネート誘導体、例えば英国特許第１，３７９，２４１号明細書に記載されたカルボキシメチルオキシサクシネート、英国特許第１，３８９，７３２号明細書に記載されたラクトキシサクシネート、オランダ出願第７２０５８７３号明細書に記載されたアミノサクシネート、および英国特許第１，３８７，４４７号明細書に記載された２-オキサ-１，１，３-プロパントリカルボキシレートのようなオキシポリカルボキシレート物質がある。
４つのカルボキシ基を有するポリカルボキシレートには、英国特許第１，２６１，８２９号明細書に開示されたオキシジサクシネート、１，１，２，２-エタンテトラカルボキシレート、１，１，３，３-プロパンテトラカルボキシレートおよび１，１，２，３-プロパンテトラカルボキシレートがある。スルホ置換基を有するポリカルボキシレートには、英国特許第１，３９８，４２１号、第１，３９８，４２２号および米国特許第３，９３６，４４８号明細書に開示されたスルホサクシネート誘導体と、英国特許第１，４３９，０００号明細書に記載されたスルホン化熱分解シトレートがある。好ましいポリカルボキシレートは、１分子当たり３以内のカルボキシ基を有したヒドロキシカルボキシレート、更に具体的にはシトレートである。
モノマーまたはオリゴマーポリカルボキシレートキレート化剤の親酸またはそれらの塩との混合物、例えばクエン酸またはクエン酸塩／クエン酸混合物も、有用なビルダー成分として考えられる。
ボレートビルダーと、洗剤貯蔵または洗浄条件下でボレートを生じうるボレート形成物質を含有したビルダーも、本発明で有用な水溶性ビルダーである。
水溶性ホスフェートビルダーの具体例は、アルカリ金属トリポリホスフェート、ナトリウム、カリウムおよびアンモニウムピロホスフェート、ナトリウムおよびカリウムオルトホスフェート、重合度が約６〜２１であるナトリウムポリメタ／ホスフェートと、フィチン酸の塩である。
本発明の組成物は、２０重量％未満のホスフェート成分、好ましくは１５重量％未満または更には１０または５重量％未満のホスフェート成分を含有する。ホスフェートビルダーがホスフェート成分として存在するならば、より少い量が好ましい。
部分的可溶性または不溶性ビルダー化合物
本発明の洗剤組成物は部分的可溶性または不溶性ビルダー化合物を含有してもよく、典型的には組成物の１〜８０重量％、好ましくは１０〜７０重量％、最も好ましくは２０〜６０重量％のレベルで存在する。
かなり非水溶性のビルダーの例には、ナトリウムアルミノシリケートがある。
適切なアルミノシリケートゼオライトは単位格子式Ｎａz〔（ＡｌＯ2）z（ＳｉＯ2）y〕・ｘＨ2Ｏを有しており、ここでｚおよびｙは少くとも６であり、ｚ対ｙのモル比は１．０〜０．５であり、ｘは少くとも５、好ましくは７．５〜２７６、更に好ましくは１０〜２６４である。アルミノシリケート物質は水和形であり、好ましくは１０〜２８％、更に好ましくは１８〜２２％の水を結合形で含有した結晶である。
アルミノシリケートゼオライトは天然物質でもよいが、好ましくは合成で誘導される。合成結晶アルミノシリケートイオン交換物質は名称ゼオライトＡ、ゼオライトＢ、ゼオライトＰ、ゼオライトＸ、ゼオライトＨＳ、ゼオライトＭＡＰおよびそれらの混合物として市販されている。ゼオライトＡは下記式を有する：
Ｎａ12〔（ＡｌＯ2）12（ＳｉＯ2）12〕・ｘＨ2Ｏ
上記式中ｘは２０〜３０、特に２７である。ゼオライトＸは式
Ｎａ86〔（ＡｌＯ2）86（ＳｉＯ2）106〕・２７６Ｈ2Ｏを有する。
ブリーチ触媒
組成物は、遷移金属含有ブリーチ触媒を場合により含有している。ブリーチ触媒の１つの適切なタイプは、銅、鉄またはマンガンカチオンのような所定ブリーチ触媒活性の重金属カチオン、亜鉛またはアルミニウムカチオンのようなブリーチ触媒活性をほとんどまたは全く有しない補助金属カチオンと、触媒および補助金属カチオンについて所定の安定定数を有する金属イオン封鎖剤、特にエチレンジアミン四酢酸、エチレンジアミンテトラ（メチレンホスホン酸）およびそれらの水溶性塩を含んだ触媒系である。このような触媒は米国特許第４，４３０，２４３号明細書に開示されている。
他のタイプのブリーチ触媒には、米国特許第５，２４６，６２１号および米国特許第５，２４４，５９４号明細書に開示されたマンガンベース錯体がある。これら触媒の好ましい例には、ＭｎIV2（ｕ-Ｏ）3（１，４，７-トリメチル-１，４，７-トリアザシクロノナン）2（ＰＦ6）2、ＭｎIII2（ｕ-Ｏ）1（ｕ-ＯＡｃ）2（１，４，７-トリメチル-１，４，７-トリアザシクロノナン）2（ＣｌＯ4）2、ＭｎIV4（ｕ-Ｏ）6（１，４，７-トリアザシクロノナン）4（ＣｌＯ4）2、ＭｎIIIＭｎIV4（ｕ-Ｏ）1（ｕ-ＯＡｃ）2（１，４，７-トリメチル-１，４，７-トリアザシクロノナン）2（ＣｌＯ4）3およびそれらの混合物がある。その他は欧州特許出願公開第５４９，２７２号明細書に記載されている。本発明で使用に適した他のリガンドには、１，５，９-トリメチル-１，５，９-トリアザシクロドデカン、２-メチル-１，４，７-トリアザシクロノナン、２-メチル-１，４，７-トリアザシクロノナン、１，２，４，７-テトラメチル-１，４，７-トリアザシクロノナンおよびそれらの混合物がある。
適切なブリーチ触媒の例については、米国特許第４，２４６，６１２号および米国特許第５，２２７，０８４号明細書参照。Ｍｎ（１，４，７-トリメチル-１，４，７-トリアザシクロノナン（ＯＣＨ3）3（ＰＦ6）のような単核マンガン（IV）錯体について開示する米国特許第５，１９４，４１６号明細書も参照。米国特許第５，１１４，６０６号明細書に開示されたような、更にもう１つのタイプのブリーチ触媒は、少くとも３つの連続Ｃ-ＯＨ基を有する非カルボキシレートポリヒドロキシ化合物であるリガンドと、マンガン（III）および／または（IV）との水溶性錯体である。他の例には、テトラ-Ｎ-デンテートおよびビ-Ｎ-デンテートリガンドと錯体形成された二核Ｍｎ、例えばＮ4ＭｎIII（ｕ-Ｏ）2ＭｎIVＮ4+および〔Ｂｉｐｙ2ＭｎIII（ｕ-Ｏ）2ＭｎIVｂｉｐｙ2〕-（ＣｌＯ4）3がある。
別の適切なブリーチ触媒は、例えば、欧州特許出願公開第４０８，１３１号（コバルト錯体触媒）、欧州特許出願公開第３８４，５０３号および第３０６，０８９号（メタロ-ポルフィリン触媒）、米国特許第４，７２８，４５５号（マンガン／マルチデンテートリガンド触媒）、米国特許第４，７１１，７４８号および欧州特許出願公開第２２４，９５２号（アルミノシリケート触媒に吸収されたマンガン）、米国特許第４，６０１，８４５号（マンガンおよび亜鉛またはマグネシウム塩を担持したアルミノシリケート支持体）、米国特許第４，６２６，３７３号（マンガン／リガンド触媒）、米国特許第４，１１９，５５７号（第二鉄錯体触媒）、ドイツ特許明細書第２，０５４，０１９号（コバルトキラント触媒）、カナダ第８６６，１９１号（遷移金属含有塩）、米国特許第４，４３０，２４３号（マンガンカチオンおよび非触媒金属カチオンとのキラント）、および米国特許第４，７２８，４５５号（マンガングルコネート触媒）に記載されている。
重金属イオン封鎖剤
本発明の洗剤組成物は、好ましくは、任意成分として重金属イオン封鎖剤を含有している。重金属イオン封鎖剤とは、重金属イオンを封鎖（キレート化）するように作用する成分を本発明では意味する。これらの成分はカルシウムおよびマグネシウムキレート化能力も有しているが、それに優先して、それらは鉄、マンガンおよび銅のような重金属イオンを結合させる選択性を示す。
重金属イオン封鎖剤は、組成物の通常０．００５〜２０重量％、好ましくは０．１〜１０％、更に好ましくは０．２５〜７．５％、最も好ましくは０．５〜５％のレベルで存在する。
本発明で使用に適した重金属イオン封鎖剤には、有機ホスホネート、例えばアミノアルキレンポリ（アルキレンホスホネート）、アルカリ金属エタン１-ヒドロキシジホスホネートおよびニトリロトリメチレンホスホネートがある。
上記種の中で好ましいのは、ジエチレントリアミンペンタ（メチレンホスホネート）、エチレンジアミントリ（メチレンホスホネート）、ヘキサメチレンジアミンテトラ（メチレンホスホネート）およびヒドロキシエチレン１，１-ジホスホネートである。
本発明で使用上他の適切な重金属イオン封鎖剤には、ニトリロ三酢酸およびポリアミノカルボン酸、例えばエチレンジアミン四酢酸、エチレントリアミン五酢酸、エチレンジアミン二コハク酸、エチレンジアミン二グルタル酸、２-ヒドロキシプロピレンジアミン二コハク酸またはそれらの塩がある。特に好ましいのは、エチレンジアミン-Ｎ，Ｎ′-二コハク酸（ＥＤＤＳ）またはそのアルカリ金属、アルカリ土類金属、アンモニウムまたは置換アンモニウム塩、またはそれらの混合物である。
本発明で使用上他の適切な重金属イオン封鎖剤は、ＥＰ-Ａ-３１７，５４２およびＥＰ-Ａ-３９９，１３３に記載された２-ヒドロキシエチル二酢酸またはグリセリルイミノ二酢酸のようなイミノ二酢酸誘導体である。ＥＰ-Ａ-５１６，１０２に記載されたイミノ二酢酸-Ｎ-２-ヒドロキシプロピルスルホン酸およびアスパラギン酸Ｎ-カルボキシメチルＮ-２-ヒドロキシプロピル-３-スルホン酸封鎖剤も本発明に適している。ＥＰ-Ａ-５０９，３８２に記載されたβ-アラニン-Ｎ，Ｎ′-二酢酸、アスパラギン酸-Ｎ，Ｎ′-二酢酸、アスパラギン酸-Ｎ-一酢酸およびイミノ二コハク酸封鎖剤も適している。
ＥＰ-Ａ-４７６，２５７では適切なアミノベース封鎖剤を記載している。ＥＰ-Ａ-５１０，３３１は、コラーゲン、ケラチンまたはカゼインから誘導された適切な封鎖剤について記載している。ＥＰ-Ａ-５２８，８５９は適切なアルキルイミノ二酢酸封鎖剤を記載している。ジピコリン酸および２-ホスホノブタン-１，２，４-トリカルボン酸も適している。グリシンアミド-Ｎ，Ｎ′-二コハク酸（ＧＡＤＳ）、エチレンジアミン-Ｎ，Ｎ′-二グルタル酸（ＥＤＤＧ）および２-ヒドロキシプロピレンジアミン-Ｎ，Ｎ′-二コハク酸（ＨＰＤＤＳ）も適している。
酵素
洗剤組成物で有用なもう１つの好ましい成分は、１種以上の追加酵素である。
好ましい追加酵素物質には、洗剤組成物中に慣例的に配合される市販リパーゼ、クチナーゼ、アミラーゼ、中性およびアルカリプロテアーゼ、セルラーゼ、エンドラーゼ、エステラーゼ、ペクチナーゼ、ラクターゼとペルオキシダーゼがある。適切な酵素は、米国特許第３，５１９，５７０号および第３，５３３，１３９号明細書に記載されている。
好ましい市販プロテアーゼ酵素には、Novo Industries A/S（デンマーク）から商品名Alcalase、Savinase、Primase、DurazymおよびEsperaseで販売されるもの、Gist-Brocadesから商品名Maxatase、MaxacalおよびMaxapemで販売されるもの、Genencor Internationalから販売されるもの、Solvay Enzymesから商品名OpticleanおよびOptimaseで販売されるものがある。プロテアーゼ酵素は、組成物の０．０００１〜４重量％の活性酵素レベルで、本発明による組成物中に配合される。
好ましいアミラーゼには、例えば、ＧＢ-１，２６９，８３９（Novo）で更に詳細に記載された、B.licheniformisの特別種から得られるα-アミラーゼがある。好ましい市販アミラーゼには、例えば、Gist-Brocadesから商品名Rapidaseで販売されるものと、Novo Industries A/Sから商品名TermamylおよびBANで販売されるものがある。アミラーゼ酵素は、組成物の０．０００１〜２重量％の活性酵素レベルで、本発明による組成物中に配合される。
脂肪分解酵素は、組成物の０．０００１〜２重量％、好ましくは０．００１〜１重量％、最も好ましくは０．００１〜０．５重量％の活性脂肪分解酵素レベルで存在する。
リパーゼは起源が真菌でもまたは細菌でもよく、例えばHumicola sp.、Thermomyces sp.、またはPseudomonas pseudoalcaligenesもしくはPseudomas fluorescensを含めたPseudomonas sp.のリパーゼ産生株から得られる。これらの株の化学的または遺伝子修飾変異体からのリパーゼも本発明で有用である。好ましいリパーゼは、許諾された欧州特許ＥＰ-Ｂ-０２１８２７２に記載されたPseudomonas pseudoalcaligenesに由来する。
もう１つの好ましいリパーゼは、欧州特許出願ＥＰ-Ａ-０２５８０６８に記載されたように、Humicola lanuginosaの遺伝子をクローニングして、宿主としてAspergillus oryzaでその遺伝子を発現させることにより得られ、商品名LipolaseでNovo Industri A/S,Bagsvaerd,Denmarkから市販されている。このリパーゼは、１９８９年３月７日付で発行されたHuge-Jensenらの米国特許第４，８１０，４１４号明細書にも記載されている。
有機ポリマー化合物
有機ポリマー化合物は、本発明による洗剤組成物の好ましい追加成分である。本洗剤組成物への配合に適した有機ポリマー化合物には、メチルセルロース、カルボキシメチルセルロース、ヒドロキシプロピルメチルセルロースおよびヒドロキシエチルセルロースのようなセルロース誘導体がある。
別の有用な有機ポリマー化合物は、ポリエチレングリコール、特に分子量１０００〜１００００、更に具体的には２０００〜８０００、最も好ましくは約４０００のものである。
起泡抑制系
本発明の洗剤組成物は、機械洗い組成物用に処方されたとき、組成物の０．０１〜１５重量％、好ましくは０．０５〜１０％、最も好ましくは０．１〜５％のレベルで存在する起泡抑制系を含んでいることが好ましい。
本発明で使用に適した起泡抑制系は、例えばシリコーン消泡剤化合物および２-アルキルアルカノール消泡剤化合物を含めて、本質的にいかなる公知の消泡剤化合物を含んでいてもよい。
消泡剤化合物とは、特に溶液の撹拌下で、洗剤組成物の溶液により作られる泡立ちを抑制するように作用する、化合物または化合物の混合物を意味する。
本発明で使用上特に好ましい消泡剤化合物は、シリコーン成分を含む消泡剤化合物として本発明で規定される、シリコーン消泡剤化合物である。このようなシリコーン消泡剤化合物には、典型的にはシリカ成分も含む。本明細書と産業界全般で用いられる“シリコーン”という用語には、様々なタイプのシロキサン単位とヒドロカルビル基を有した様々な比較的高分子量のポリマーを包含している。好ましいシリコーン消泡剤化合物はシロキサン類、特にトリメチルシリル末端ブロック基を有したポリジメチルシロキサン類である。
他の適切な消泡剤化合物にはモノカルボン脂肪酸およびその可溶性塩がある。これらの物質は、１９６０年９月２７日付で発行されたWayne St.Johnの米国特許第２，９５４，３４７号明細書に記載されている。起泡抑制剤として有用なモノカルボン脂肪酸およびその塩は、典型的には１０〜２４の炭素原子、好ましくは１２〜１８の炭素原子を有している。適切な塩には、ナトリウム、カリウムおよびリチウム塩のようなアルカリ金属塩と、アンモニウムおよびアルカノールアンモニウム塩がある。
他の適切な消泡剤化合物には、例えば、高分子量脂肪エステル（例えば、脂肪酸トリグリセリド）、一価アルコールの脂肪酸エステル、脂肪族Ｃ18-Ｃ40ケトン（例えば、ステアロン）Ｎ-アルキル化アミノトリアジン、例えば塩化シアヌルと１〜２４の炭素原子を有する２または３モルの一級または二級アミンとの生成物として形成されたトリ〜ヘキサアルキルメラミンまたはジ〜テトラアルキルジアミンクロルトリアジン、プロピレンオキシド、ビスステアリン酸アミドおよびモノステアリルジアルカリ金属（例えば、ナトリウム、カリウム、リチウム）ホスフェートおよびホスフェートエステルがある。
好ましい起泡抑制系は
（ａ）消泡剤化合物、好ましくはシリコーン消泡剤化合物、最も好ましくは以下と組合せたシリコーン消泡剤化合物
（ｉ）シリコーン消泡剤化合物の５０〜９９重量％、好ましくは７５〜９５％のレベルのポリジメチルシロキサン、および
（ii）シリコーン／シリカ消泡剤化合物の１〜５０重量％、好ましくは５〜２５％のレベルのシリカ
（シリカ／シリコーン消泡剤化合物は５〜５０重量％、好ましくは１０〜４０％のレベルで配合される）；
（ｂ）０．５〜１０重量％、好ましくは１〜１０％のレベルで、７２〜７８％のポリオキシアルキレン含有率と１：０．９〜１：１．１のエチレンオキシド対プロピレンオキシド比を有するシリコーングリコールレークコポリマーを最も好ましくは含んだ、分散剤化合物（このタイプの特に好ましいシリコーングリコールレークコポリマーは、商品名ＤＣＯ５４４でDOW Corningから市販されているＤＣＯ５４４である）
（ｃ）５〜８０重量％、好ましくは１０〜７０％のレベルで、エトキシル化度５〜５０、好ましくは８〜１５のＣ16-Ｃ18エトキシル化アルコールを最も好ましくは含んだ、不活性キャリア流体化合物
からなっている。
高度に好ましい粒状起泡抑制系はＥＰ-Ａ-０２１０７３１に記載されていて、シリコーン消泡剤化合物と５０〜８５℃範囲の融点を有した有機キャリア物質からなっていて、有機キャリア物質は炭素原子１２〜２０の炭素鎖を有した脂肪酸およびグリセロールのモノエステルである。ＥＰ-Ａ-０２１０７２１は、有機キャリア物質が炭素原子１２〜２０の炭素鎖を有した脂肪酸またはアルコール、またはそれらの混合物であって、４５〜８０℃の融点を有している、他の好ましい粒状起泡抑制系について開示している。
クレー柔軟化系
洗剤組成物は、クレーミネラル化合物と場合によりクレー凝集剤を含んだクレー柔軟化系を含有していてもよい。
クレーミネラル化合物は、好ましくはスメクタイトクレー化合物である。スメルタイトクレーは米国特許第３，８６２，０５８号、第３，９４８，７９０号、第３，９５４，６３２号および第４，０６２，６４７号明細書に開示されている。Procter and Gamble Companyの名称の欧州特許ＥＰ-Ａ-２９９，５７５およびＥＰ-Ａ-３１３，１４６では、適切な有機ポリマークレー凝集剤について記載している。
ポリマー染料移動阻止剤
本洗剤組成物は、０．０１〜１０重量％、好ましくは０．０５〜０．５％のポリマー染料移動阻止剤も含んでよい。
ポリマー染料移動阻止剤は、好ましくは、ポリアミンＮ-オキシドポリマー、Ｎ-ビニルピロリドンおよびＮ-ビニルイミダゾールのコポリマー、ポリビニルピロリドンポリマーまたはそれらの組合せから選択される。
ａ）ポリアミンＮ-オキシドポリマー
本発明で使用に適したポリアミンＮ-オキシドポリマーは下記構造式を有した単位を含んでいる：
0003773540.tif 000018
上記式中Ｐは重合性単位であり、
ＡはＮＣ（＝Ｏ）、Ｃ（＝Ｏ）Ｏ、Ｃ＝Ｏ、-Ｏ-、-Ｓ-、-Ｎ-であり、ｘは０または１であり、
Ｒは脂肪族、エトキシル化脂肪族、芳香族、ヘテロ環式、脂環式基またはそれらの組合せであり、それにはＮ-Ｏ基の窒素が結合できるか、またはＮ-Ｏ基の窒素はこれらの基の一部である。
Ｎ-Ｏ基は下記構造で表すことができる：
0003773540.tif 000019
上記式中Ｒ1、Ｒ2およびＲ3は脂肪族基、芳香族、ヘテロ環式、脂環式基またはそれらの組合せであり、ｘまたは／およびｙまたは／およびｚは０または１であり、Ｎ-Ｏ基の窒素はそれらに結合できるか、またはＮ-Ｏ基の窒素はこれらの基の一部を形成している。Ｎ-Ｏ基は重合性単位（Ｐ）の一部でも、ポリマー主鎖に結合していても、または双方の組合せであってもよい。
Ｎ-Ｏ基が重合性単位の一部を形成している適切なポリアミンＮ-オキシドには、Ｒが脂肪族、芳香族、脂環式またはヘテロ環式基から選択されるポリアミンＮ-オキシドがある。上記ポリアミンＮ-オキシドの１クラスは、Ｎ-Ｏ基の窒素がＲ基の一部を形成しているポリアミンＮ-オキシドのグループからなる。好ましいポリアミンＮ-オキシドは、Ｒがピリジン、ピロール、イミダゾール、ピロリジン、ピペリジン、キノリン、アクリジンおよびそれらの誘導体のようなヘテロ環式基である場合である。
他の適切なポリアミンＮ-オキシドは、Ｎ-Ｏ基が重合性単位に結合しているポリアミンオキシドである。これらポリアミンＮ-オキシドの好ましいクラスは、Ｒが芳香族、ヘテロ環式または脂環式基であって、Ｎ-Ｏ官能基の窒素が上記Ｒ基の一部である、一般式（Ｉ）を有したポリアミンＮ-オキシドである。これらクラスの例は、Ｒがピリジン、ピロール、イミダゾールおよびそれらの誘導体のようなヘテロ環式化合物であるポリアミンオキシドである。
ポリアミンＮ-オキシドはほぼあらゆる重合度で得ることができる。重合度は、物質が望ましい水溶性および染料懸濁力を有していれば、重要でない。典型的には、平均分子量は５００〜１，０００，０００の範囲内である。
ｂ）Ｎ-ビニルピロリドンおよびＮ-ビニルイミダゾールのコポリマー
５００〜５０，０００の平均分子量範囲を有するＮ-ビニルイミダゾールおよびＮ-ビニルピロリドンのコポリマーが本発明に適している。好ましいコポリマーは、１：０．２のＮ-ビニルイミダゾール対Ｎ-ビニルピロリドンのモル比を有している。
ｃ）ポリビニルピロリドン
本発明の洗剤組成物では、２５００〜４００，０００の平均分子量を有するポリビニルピロリドン（“ＰＶＰ”）も利用してよい。適切なポリビニルピロリドンは、製品名ＰＶＰ  Ｋ-１５（１０，０００の粘度分子量）、ＰＶＰ  Ｋ-３０（４０，０００の平均分子量）、ＰＶＰ  Ｋ-６０（１６０，０００の平均分子量）およびＰＶＰ  Ｋ-９０（３６０，０００の平均分子量）で、ＩＳＰ Corporation,New York,NY and Montreal,Canadaから市販されている。ＰＶＰ  Ｋ-１５もＩＳＰ Corporationから市販されている。ＢＡＳＦ Cooperationから市販されている他の適切なポリビニルピロリドンには、Sokalan ＨＰ１６５およびSokalan ＨＰ１２がある。
ｄ）ポリビニルオキサゾリドン
本発明の洗剤組成物では、ポリマー染料移動阻止剤としてポリビニルオキサゾリドンも利用してよい。上記ポリビニルオキサゾリドンは、２５００〜４００，０００の平均分子量を有している。
ｅ）ポリビニルイミダゾール
本発明の洗剤組成物では、ポリマー染料移動阻止剤としてポリビニルイミダゾールも利用してよい。上記ポリビニルイミダゾールは、好ましくは２５００〜４００，０００の平均分子量を有している。
蛍光増白剤
本発明の洗剤組成物は、あるタイプの親水性蛍光増白剤約０．００５〜５重量％も場合により含有している。
本発明で有用な親水性蛍光増白剤は下記構造式を有した化合物である：
0003773540.tif 000020
上記式中Ｒ1はアニリノ、Ｎ-２-ビス-ヒドロキシエチルおよびＮＨ-２-ヒドロキシエチルから選択される；Ｒ2はＮ-２-ビス-ヒドロキシエチル、Ｎ-２-ヒドロキシエチル-Ｎ-メチルアミノ、モルフィリノ、クロロおよびアミノから選択される；Ｍはナトリウムまたはカリウムのような塩形成カチオンである。
上記式中Ｒ1がアニリノ、Ｒ2がＮ-２-ビス-ヒドロキシエチルおよびＭがナトリウムのようなカチオンであるとき、増白剤は４，４′-ビス〔〔４-アニリノ-６-（Ｎ-２-ビス-ヒドロキシエチル）-ｓ-トリアジン-２-イル〕アミノ〕-２，２′-スチルベンジスルホン酸および二ナトリウム塩である。この具体的な増白剤種はCiba-Geigy Corporationから商品名Tinopal-UNPA-GXで市販されている。Tinopal-UNPA-GXは本洗剤組成物で有用な好ましい親水性蛍光増白剤である。
上記式中Ｒ1がアニリノ、Ｒ2がＮ-２-ヒドロキシエチル-Ｎ-２-メチルアミノおよびＭがナトリウムのようなカチオンであるとき、増白剤は４，４′-ビス〔〔４-アニリノ-６-（Ｎ-２-ヒドロキシエチル-Ｎ-メチルアミノ）-ｓ-トリアジン-２-イル〕アミノ〕-２，２′-スチルベンジスルホン酸二ナトリウム塩である。この具体的な増白剤種はCiba-Geigy Corporationから商品名Tinopal 5BM-GXで市販されている。
上記式中Ｒ1がアニリノ、Ｒ2がモルフィリノおよびＭがナトリウムのようなカチオンであるとき、増白剤は４，４′-ビス〔（４-アニリノ-６-モルフィリノ-ｓ-トリアジン-２-イル）アミノ〕-２，２′-スチルベンジスルホン酸ナトリウム塩である。この具体的な増白剤種はCiba-Geigy Corporationから商品名Tinopal AMS-GXで市販されている。
カチオン性布帛柔軟剤
カチオン性布帛柔軟剤も本発明の組成物中に配合させてよい。適切なカチオン性布帛柔軟剤には、ＧＢ-Ａ-１，５１４，２７６およびＥＰ-Ｂ-０，０１１，３４０に開示されたような、非水溶性三級アミンまたはジ長鎖アミド物質がある。
カチオン性布帛柔軟剤は、典型的には０．５〜１５重量％、通常１〜５重量％の総レベルで配合される。
他の任意成分
本発明の組成物への含有に適した他の任意成分には着色料およびフィラー塩があり、硫酸ナトリウムが好ましいフィラー塩である。
組成物のｐＨ
本組成物は、蒸留水中１％溶液として測定すると、少くとも８．５、好ましくは９．０〜１２．５、最も好ましくは９．５〜１１．０のｐＨを有していることが好ましい。
組成物の形態
本発明による組成物は、顆粒、錠剤、固形物および液体形態を含めて、様々な物理的形態をとることができる。組成物は、汚れた布帛の入った機械ドラムに設置された分配装置で洗濯機に加えられるように調整された、特にいわゆる濃縮された顆粒洗剤組成物である。
一般的に、本発明による顆粒洗剤組成物は、ドライミキシング、スプレードライ、凝集および造粒を含めた様々な方法により作られる。
本発明による顆粒組成物の諸成分の平均粒径は、好ましくは、粒子の５％以下が直径１．７ｍｍより大きく、粒子の５％以下が直径０．１５ｍｍ未満となるようにすべきである。
本発明で規定される用語、平均粒径は、組成物のサンプルを一連のTyler篩でいくつかのフラクション（典型的には５つのフラクション）に篩分けすることにより計算する。こうして得られたフラクション重量は篩の口径に対してプロットされる。平均粒径は、サンプルの５０重量％が通過する口径としてみる。
本発明による顆粒洗剤組成物の嵩密度は、典型的には少くとも６００ｇ／ｌ、更に好ましくは６５０〜１２００ｇ／ｌの嵩密度を有している。嵩密度は、漏斗の下に軸上に配置した円筒形カップ中に漏斗の内容物を空けられるように下端にフラップバルブを備えて、基台上にしっかりと設置された円錐形漏斗からなる、簡単な漏斗およびカップ装置により測定される。漏斗は高さ１３０ｍｍであり、その各上および下端で１３０ｍｍおよび４０ｍｍの内径を有している。下端は基台の上表面から１４０ｍｍ上となるように設定される。カップは９０ｍｍの全高、８７ｍｍの内高および８４ｍｍの内径を有している。その公称容量は５００ｍｌである。
測定を行うためには、手で注ぐことにより漏斗が粉末で満たされ、フラップバルブが開かれて、粉末がカップにいっぱい満たされる。満たされたカップはフレームから取り外され、まっすぐな端部の器具、例えばナイフでその上端をなぞることにより、カップから過剰の粉末が除かれる。次いで満たされたカップは秤量され、粉末の重量について得られた値が嵩密度ｇ／ｌを求めるために２乗される。反復測定が必要ならば行われる。
界面活性剤凝集粒子
カチオン性エステル界面活性剤は、好ましくは追加界面活性剤と一緒になって、フレーク、プリル（prill）、マルメ（marume）、ヌードル、リボンの形態をとった、好ましくは顆粒の形態をとった、界面活性剤凝集粒子の形態で、顆粒組成物中に存在することが好ましい。粒子を処理する上で最も好ましい手法は、粉末（例えば、アルミノシリケート、カーボネート）を高活性界面活性剤ペーストと凝集させて、得られた凝集物の粒度を特定の範囲内にコントロールすることである。このようなプロセスでは、パン凝集機、Ｚ-ブレードミキサーのような１以上の凝集機、または更に好ましくはSchugi（Holland）ＢＶ、29 Chroomstaat 8211 AS,Lelystad,NetherlandsおよびGebruder lodige Maschinenbau GmbH,D-4790 Paderborn 1,Elsenerstrasse 7-9,Postfach 2050,Germany製のようなインラインミキサーで、有効量の粉末を高活性界面活性剤ペーストと混合させる。最も好ましくは、Lodige ＣＢ（商品名）のような高剪断ミキサーが用いられる。
５０〜９５重量％、好ましくは７０〜８５重量％の界面活性剤を含んだ高活性界面活性剤ペーストが、典型的に用いられる。そのペーストは、流動性粘度を維持するために十分に高いが、用いられるアニオン性界面活性剤の分解を避けるために十分に低い温度で凝集機中に導入される。５０〜８０℃のペーストの操作温度が典型的である。
洗濯洗浄法
機械洗濯法では、典型的には、本発明による機械洗濯洗剤組成物の有効量を溶解または分配させた洗濯機中の洗浄水溶液で、汚れた洗濯物を処理する。洗剤組成物の有効量とは、慣用的な機械洗濯法で常用される典型的製品使用量および洗浄液容量として、容量５〜６５ｌの洗浄液中に溶解または分配される製品４０〜３００ｇを意味する。
好ましい使用面では、分配装置が洗浄法で用いられる。分配装置に洗剤製品が投入され、洗浄サイクルの開始前に洗濯機のドラム中に直接製品を導入するために用いられる。その容量キャパシティは、洗浄法に通常で用いられるほど十分な洗剤製品を含有しうるようにすべきである。
洗濯機に洗濯物が投入されると、洗剤製品を含有した分配装置がドラムの内側に置かれる。洗濯機の洗浄サイクルの開始時に、水がドラム中に導入され、ドラムが周期的に回転する。分配装置のデザインは、それがドライ洗剤製品を含有できるが、ドラムが回転するとその撹拌に応じて、しかも洗浄水との接触の結果として、洗浄サイクル中にこの製品を放出するようにすべきである。
洗浄中に洗剤製品を放出させるために、その装置は製品が通過するいくつかの開口部を有していてもよい。一方、その装置は、液体に対して透過性であるが、固体製品に対して不透過性であって、溶解した製品を放出させるような物質から作ってもよい。好ましくは、洗剤製品は洗浄サイクルの開始時に急速に放出されて、洗浄サイクルのこの段階で洗濯機のドラム内で一時的に局在化した高濃度の製品を供する。
好ましい分配装置は再使用可能であって、容器の一体性が乾燥状態と洗浄サイクルの双方で維持されるようにデザインされる。本発明の組成物で使用上特に好ましい分配装置は、下記特許：ＧＢ-Ｂ-２，１５７，７１７、ＧＢ-Ｂ-２，１５７，７１８、ＥＰ-Ａ-０２０１３７６、ＥＰ-Ａ-０２８８３４５およびＥＰ-Ａ-０２８８３４６に記載されている。J.Bland,Manufacturing Chemist発行,November 1989,pages 41-46の論文も、“グラニュレット”として通常知られるタイプの顆粒洗濯製品で使用上特に好ましい分配装置について記載している。本発明の組成物で使用上もう１つの好ましい分配装置は、ＰＣＴ特許出願ＷＯ９４／１１５６２に開示されている。
特に好ましい分配装置は欧州特許出願公開第０３４３０６９＆０３４３０７０号明細書に開示されている。後者の出願では、オリフィスを形成するサポートリングから伸びたバッグの形態でフレキシブルな鞘からなる装置を開示しており、そのオリフィスは洗浄プロセスで１回の洗浄サイクルに十分な製品をバッグに入れられるように調整される。一部の洗浄媒体はオリフィスからバッグ中に流入して、製品を溶解させ、その後で溶液がオリフィスから洗浄媒体中に向けて外側に出ていく。サポートリングは、湿潤した未溶解の製品が出て行くのを妨げる遮蔽部材を備えており、この部材は典型的にはスポークドホイール形態で中央ボスから放射状に伸びた壁からできているか、または壁がらせん形態を有する類似構造をとっている。
一方、分配装置はバッグまたはポーチのようなフレキシブルな容器であってもよい。バッグは内容物を留められるように水不透過性防御物質でコートされた繊維状構造をとり、例えば欧州公開特許出願第００１８６７８号明細書に開示されている。一方、それは非水溶性合成ポリマー物質から形成して、欧州公開特許出願第００１１５００号、第００１１５０１号、第００１１５０２号および第００１１９６８号明細書に開示されたような、水性媒体中で破裂するようにデザインされたエッジシールまたはクロージャーを備え付けてもよい。便利な形態の水脆弱性クロージャーでは、ポリエチレンまたはポリプロピレンのような水不透過性ポリマーフィルムから形成されたポーチの一端を、それに沿って水溶性接着でシールしている。
組成物のパッケージング
漂白組成物の商業向け態様では、紙、ボール紙、プラスチック物質およびいずれか適切なラミネートから作製されたものを含めて、いずれか適切な容器中に詰めることができる。好ましいパッケージング態様は欧州出願第９４９２１５０５．７号明細書に記載されている。
例中で用いられる略称
洗剤組成物において、略記された成分表示は下記意味を有する：
ＬＡＳ      ：ナトリウム直鎖Ｃ12アルキルベンゼンスルホネート
ＴＡＳ      ：ナトリウムタローアルキルサルフェート
Ｃ４５ＡＳ  ：ナトリウムＣ14-Ｃ15直鎖アルキルサルフェート
ＣｘｙＥｚＳ：ｚモルのエチレンオキシドと縮合されたナトリウムＣ1x-Ｃ1y分岐アルキルサルフェート
Ｃ４５Ｅ７  ：平均７モルのエチレンオキシドと縮合されたＣ14-15で主に直鎖の一級アルコール
Ｃ２５Ｅ３  ：平均３モルのエチレンオキシドと縮合されたＣ12-15分岐一級アルコール
Ｃ２５Ｅ５  ：平均５モルのエチレンオキシドと縮合されたＣ12-15分岐一級アルコール
ＣＥＱＩ    ：Ｒ1ＣＯＯＣＨ2ＣＨ2Ｎ+（ＣＨ3）3（Ｒ1＝Ｃ11-Ｃ13）
ＣＥＱII    ：Ｒ1ＣＯＯＣＨ2ＣＨ2ＣＨ2Ｎ+（ＣＨ3）3（Ｒ1＝Ｃ11-Ｃ13）
ＣＥＱIII   ：Ｒ1ＣＯＯＣＨ2ＣＨ2Ｎ+（ＣＨ3）2（ＣＨ2ＣＨ2ＯＨ）（Ｒ1＝Ｃ11-Ｃ13）
ＣＥＱIV    ：Ｒ1ＣＯＯＣＨ2ＣＨ2Ｎ+（ＣＨ3ＣＨ2）2（ＣＨ3）（Ｒ1＝Ｃ11-Ｃ13）
ＱＡＳＩ    ：Ｒ2Ｎ+（ＣＨ3）2（Ｃ2Ｈ4ＯＨ）（Ｒ2＝Ｃ12-Ｃ14）
ＱＡＳII    ：Ｒ2Ｎ+（ＣＨ3）2（Ｃ2Ｈ4ＯＨ）（Ｒ2＝Ｃ8-Ｃ10）
石鹸        ：獣脂およびココナツ油の８０／２０混合物から誘導されるナトリウム直鎖アルキルカルボキシレート
ＴＦＡＡ    ：Ｃ16-Ｃ18アルキルＮ-メチルグルカミド
ＴＰＫＦＡ  ：Ｃ12-Ｃ14トップドホールカット（topped whole cut）脂肪酸
ＳＴＰＰ    ：無水トリポリリン酸ナトリウム
ゼオライトＡ：０．１〜１０μｍ範囲の主要粒度を有する式Ｎａ12（ＡｌＯ2ＳｉＯ2）12・２７Ｈ2Ｏの水和ナトリウムアルミノシリケート
ＮａＳＫＳ-６：式δ-Ｎａ2Ｓｉ2Ｏ5の結晶積層シリケート
クエン酸    ：無水クエン酸
カーボネート：２００〜９００μｍの粒径を有する無水炭酸ナトリウム
ビカーボネート：４００〜１２００μｍの粒径分布を有する無水重炭酸ナトリウム
シリケート  ：非晶質ケイ酸ナトリウム（ＳｉＯ2：Ｎａ2Ｏ；２．０比）
硫酸ナトリウム：無水硫酸ナトリウム
シトレート  ：４２５〜８５０μｍの粒径分布を有する活性８６．４％のクエン酸三ナトリウム二水和物
ＭＡ／ＡＡ  ：１：４マレイン／アクリル酸のコポリマー、平均分子量約７０，０００
ＣＭＣ      ：ナトリウムカルボキシメチルセルロース
プロテアーゼ：商品名SavinaseでNOVO Industries A/Sから販売されている活性４ KNPU/ｇのタンパク質分解酵素
Alcalase    ：NOVO Industries A/Sから販売されている活性３ＡＵ／ｇのタンパク質分解酵素
セルラーゼ  ：商品名CarezymeでNOVO Industries A/Sから販売されている活性１０００ CEVU/ｇの細胞溶解酵素
アミラーゼ  ：商品名Termamyl 60TでNOVO Industries A/Sから販売されている活性６０KNU/ｇのデンプン分解酵素
リパーゼ    ：商品名LipolaseでNOVO Industries A/Sから販売されている活性１００KLU/ｇの脂肪分解酵素
Endolase    ：NOVO Industries A/Sから販売されている活性３０００ CEVU/ｇのエンドグルナーゼ酵素
ＰＢ４      ：式ＮａＢＯ2・３Ｈ2Ｏ・Ｈ2Ｏ2の過ホウ酸ナトリウム四水和物
ＰＢ１      ：式ＮａＢＯ2・Ｈ2Ｏ2の無水過ホウ酸ナトリウムブリーチ
ペルカーボネート：式２Ｎａ2ＣＯ3・３Ｈ2Ｏ2の過炭酸ナトリウム
ＮＯＢＳ    ：ナトリウム塩の形のノナノイルオキシベンゼンスルホネート
ＮＡＣ-ＯＢＳ：ナトリウム塩形の（ノナンアミドカプロイル）オキシベンゼンスルホネート
ＮＡＣＡ    ：６-ノニルアミノ-６-オキソカプロン酸
ＴＡＥＤ    ：テトラアセチルエチレンジアミン
ＤＴＰＭＰ  ：Monsantoから商品名Dequest 2060で販売されているジエチレントリアミンペンタ（メチレンホスホネート）
光活性化ブリーチ：デキストリン可溶性ポリマーに封入されたスルホン化亜鉛フタロシアニン
増白剤１    ：４，４′-ビス（２-スルホスチリル）ビフェニル二ナトリウム
増白剤２    ：４，４′-ビス〔（４-アニリノ-６-モルホリノ-１，３，５-トリアジン-２-イル）アミノ〕スチルベン-２，２′-ジスルホン酸二ナトリウム
ＨＥＤＰ    ：１，１-ヒドロキシエタンジホスホン酸
ＰＶＮＯ    ：ポリビニルピリジンＮ-オキシド
ＰＶＰＶＩ  ：ポリビニルピロリドンおよびビニルイミダゾールのコポリマー
ＳＲＰ１    ：オキシエチレンオキシおよびテレフタロイル主鎖を有するスルホベンゾイル末端キャップ化エステル
ＳＲＰ２    ：ジエトキシル化ポリ（１，２-プロピレンテレフタレート）短鎖ブロックポリマー
シリコーン消泡剤：１０：１〜１００：１の起泡抑制剤対分散剤の比率を有する、分散剤としてシロキサン-オキシアルキレンコポリマーを含んだポリジメチルシロキサン起泡抑制剤
下記例において、すべてのレベルは組成物の重量％として記されている。
例１
下記洗濯洗剤組成物Ａ〜Ｆは本発明による例である：
0003773540.tif 000021
0003773540.tif 000022
例２
嵩密度７５０ｇ／ｌの下記顆粒洗濯洗剤組成物Ｇ〜Ｉは本発明による例である：
0003773540.tif 000023
0003773540.tif 000024
例３
下記洗剤処方物は本発明による例であって、Ｊは含リン洗剤組成物、Ｋは含ゼオライト洗剤組成物、およびＬはコンパクト洗剤組成物である：
0003773540.tif 000025
0003773540.tif 000026
0003773540.tif 000027
例４
下記洗剤処方物は本発明による例である：
0003773540.tif 000028
0003773540.tif 000029
例５
下記洗剤処方物は本発明による例である：
0003773540.tif 000030
0003773540.tif 000031
例６
下記高密度のブリーチ含有洗剤処方物は本発明による例である：
0003773540.tif 000032
0003773540.tif 000033
0003773540.tif 000034
例７
下記高密度洗剤処方物は本発明による例である：
0003773540.tif 000035
0003773540.tif 000036
例８
下記液体洗剤処方物は本発明による例である：
0003773540.tif 000037
0003773540.tif 000038